(57)【要約】      （修正有）【課題】特にセキュリティ上のリスクを低減するとともにユーザから得られるデータの有効活用を行う技術を提供する。【解決手段】管理サーバと、当該管理サーバとネットワークを介して接続された複数の情報取得機器とを含む情報提供システムであって、情報取得機器は、判定条件情報を含むミッション情報を受信する。判定条件情報に基づいて第１の外界情報を取得し、第１の外界情報が判定条件を満たすか否かを判定し、判定に基づく判定結果情報を生成し、判定結果情報を前記管理サーバに送信する。【選択図】図１
2020021107.tif 000002
【特許請求の範囲】
【請求項１】
管理サーバと、当該管理サーバとネットワークを介して接続された複数の情報取得機器とを含む情報提供システムであって、
前記情報取得機器は：
判定条件情報を含むミッション情報を受信し；
前記判定条件情報に基づいて第１の外界情報を取得し、当該第１の外界情報が判定条件を満たすか否かを判定し；
前記判定に基づく判定結果情報を生成し；
前記判定結果情報を前記管理サーバに送信する、
情報提供システム。
【請求項２】
請求項１に記載の情報提供システムであって、
前記情報取得機器は、前記判定結果情報を所定の送信条件に従って、前記管理サーバに送信する、
情報提供システム。
【請求項３】
請求項２に記載の情報提供システムであって、
前記情報取得機器は、前記判定結果情報を、所定時間毎に前記管理サーバに送信する、
情報提供システム。
【請求項４】
請求項２又は請求項３のいずれかに記載の情報提供システムであって、
前記情報取得機器は、前記判定結果情報を、送信指示に従って前記管理サーバに送信する、
情報提供システム。
【請求項５】
管理サーバと、当該管理サーバとネットワークを介して接続された複数の情報取得機器とを含む情報提供システムであって、
前記情報取得機器は：
ミッション情報を参照して、判定条件情報及び加工処理情報を生成し；
前記判定条件情報に基づいて第１の外界情報を取得し、当該第１の外界情報が判定条件を満たすか否かを判定し；
当該第１の外界情報が判定条件を満たす場合に第２の外界情報を取得し、前記加工処理情報に基づいて当該第２の外界情報を加工して加工情報を生成し；
前記加工情報を前記管理サーバに送信する、
情報提供システム。
【発明の詳細な説明】
【技術分野】
【０００１】
本発明は、情報提供システムに関する。
【背景技術】
【０００２】
特許文献１には、画像解析に基づく画像への情報付加をサーバの処理負荷を増やすことなく行いつつ、処理に応じた報酬を付与するシステムが提案されている。
【先行技術文献】
【特許文献】
【０００３】
【特許文献１】特開２００３−１６１８７号公報
【発明の概要】
【発明が解決しようとする課題】
【０００４】
上記特許文献１と同様に、ユーザが設置したカメラ等から画像データや映像データを受信し、相当の報酬を当該ユーザに付与するサービスが知られている。かかるサービスは、例えば、防犯目的や、環境調査等を目的としているものである。
【０００５】
具体的には、ユーザが設置したカメラから常に画像（映像）を送り続け、送信した時間毎に報酬を付与するものや、カメラで取得した画像を枚数毎に報酬を付与するものもある。
【０００６】
しかしながら、カメラで取得した画像（ローデータ）をリアルタイムでサービス提供業者に送信した場合、個人情報やセキュリティの観点から漏洩リスク開示リスクが発生する。
【０００７】
そこで、本発明は、特にプライバシーやセキュリティ上のリスクを低減するとともにユーザから得られる画像の有効活用を行う技術を提供することを目的とする。
【課題を解決するための手段】
【０００８】
本発明によれば
管理サーバと、当該管理サーバとネットワークを介して接続された複数の情報取得機器とを含む情報提供システムであって、
前記情報取得機器は：
判定条件情報及び加工処理情報を含むミッション情報を受信し；
前記判定条件情報に基づいて第１の外界情報を取得し、当該第１の外界情報が判定条件を満たすか否かを判定し；
当該第１の外界情報が判定条件を満たす場合に第２の外界情報を取得し、前記加工処理情報に基づいて当該第２の外界情報を加工して加工情報を生成し；
前記加工情報を前記管理サーバに送信する、
情報提供システム
が得られる。
【発明の効果】
【０００９】
本発明によれば、外界情報に含まれる対象物を検出・加工する判定部及び加工部を情報取得機器側に設けたことにより、所謂ローデータを管理サーバに送信する必要がなく、セキュリティや個人情報の漏洩・不要な開示を防ぐことができる。
【００１０】
換言すれば、本発明を利用することによって、ユーザはカメラ等の取得部を常時起動しながら、必要な情報のみを管理サーバに対して提供することができる。
【００１１】
また、本発明によれば、ユーザは自己の端末さえあれば、複数のミッション情報を受信することにより複数の報酬を得ることが可能となり、本システムに対して積極的な参加を促すことができる。
【００１２】
更に、本発明によれば、ユーザは、自己の許容できる範囲の情報を管理サーバに提供することとできるため、セキュリティを自分の意志でコントロールすることができる。
【図面の簡単な説明】
【００１３】
【図１】本発明の実施の形態による情報提供システムの構成図である。
【図２】図１の管理サーバの機能ブロック図を示す図である。
【図３】図１の情報取得機器の機能ブロック図を示す図である。
【図４】本発明による情報取得機器側の情報処理の流れを説明する図である。
【図５】本発明による管理サーバ側の情報処理の流れを説明する図である。
【図６】カメラで取得する領域を示す図である。
【図７】ユーザのＨＭＤに表示される表示例である。
【図８】情報取得機器から管理サーバに送信される情報の種類を説明する図である。
【発明を実施するための形態】
【００１４】
本発明の実施形態の内容を列記して説明する。本発明の実施の形態による情報提供システムは、以下のような構成を備える。
［項目１］
管理サーバと、当該管理サーバとネットワークを介して接続された複数の情報取得機器とを含む情報提供システムであって、
前記情報取得機器は：
判定条件情報を含むミッション情報を受信し；
前記判定条件情報に基づいて第１の外界情報を取得し、当該第１の外界情報が判定条件を満たすか否かを判定し；
前記判定に基づく判定結果情報を生成し；
前記判定結果情報を前記管理サーバに送信する、
情報提供システム。
［項目２］
項目１に記載の情報提供システムであって、
前記情報取得機器は、前記判定結果情報を所定の送信条件に従って、前記管理サーバに送信する、
情報提供システム。
［項目３］
請求項２に記載の情報提供システムであって、
前記情報取得機器は、前記判定結果情報を、所定時間毎に前記管理サーバに送信する、
情報提供システム。
［項目４］
請求項２乃至請求項４のいずれかに記載の情報提供システムであって、
前記情報取得機器は、前記判定結果情報を、送信指示に従って前記管理サーバに送信する、
情報提供システム。
［項目５］
管理サーバと、当該管理サーバとネットワークを介して接続された複数の情報取得機器とを含む情報提供システムであって、
前記情報取得機器は：
ミッション情報を参照して、判定条件情報及び加工処理情報を生成し；
前記判定条件情報に基づいて第１の外界情報を取得し、当該第１の外界情報が判定条件を満たすか否かを判定し；
当該第１の外界情報が判定条件を満たす場合に第２の外界情報を取得し、前記加工処理情報に基づいて当該第２の外界情報を加工して加工情報を生成し；
前記加工情報を前記管理サーバに送信する、
情報提供システム。
【００１５】
（第１の実施の形態）
＜構成＞
図１は、本実施の形態による情報提供システムを構成する要素を示す概略図である。なお、図の構成は一例であり、これら以外の要素が含まれていてもよい。
【００１６】
本発明による情報提供システムは、管理サーバ１と、複数のユーザＰ１（情報取得機器２：図示せず）と、複数の企業（企業端末：図示せず）とを有している。これらは、ネットワークを介して、管理サーバ１を起点に互いに通信可能に接続されている。
【００１７】
本実施の形態による情報提供システムは、管理サーバ１を介して企業端末から送信されたミッション情報を情報取得機器２が受信し、当該情報取得機器２の取得部（ＧＰＳ、カメラ、マイク等の入力部）で得た情報の中から所定の条件を満たす情報のみを切り出し（又は加工して）管理サーバ１に送信し、報酬を得るものである。
【００１８】
＜ハードウェア構成＞
情報提供システムのハードウェア構成について、図２及び図３を参照して説明する。本実施の形態による管理サーバ１及び情報取得機器２は、次のようなハードウェア構成を有している。なお、以下の構成は一例であり、これ以外の構成を有していてもよい。また同等の機能を有する他の手段を適宜採用することも可能である。
【００１９】
＜管理サーバ１＞
管理サーバ１は、情報取得機器２と企業端末と通信を介して情報処理を実行することにより、情報提供システムの一部を構成する。管理サーバ１は、情報提供システム全体の処理に関する機能を有している。
【００２０】
図２は、管理サーバ１の機能ブロック図の例を示す図である。なお、図示される構成は一例であり、これら以外の機能が付加されていてもよい。
【００２１】
管理サーバ１は、例えばワークステーションやパーソナルコンピュータのような汎用コンピュータとしてもよいし、或いはクラウド・コンピューティングによって論理的に実現されてもよい。
【００２２】
管理サーバ１は、少なくとも、プロセッサ１０、メモリ１１、ストレージ１２、送受信部１３、入出力部１４等を備え、これらはバス１５を通じて相互に電気的に接続される。
【００２３】
プロセッサ１０は、管理サーバ１全体の動作を制御し、各要素間におけるデータの送受信の制御、及びアプリケーションの実行に必要な情報処理等を行う演算装置である。例えばプロセッサ１０はＣＰＵ（Ｃｅｎｔｒａｌ  Ｐｒｏｃｅｓｓｉｎｇ  Ｕｎｉｔ）であり、ストレージ１２に格納されメモリ１１に展開されたプログラム等を実行して各情報処理を実施する。
【００２４】
メモリ１１は、ＤＲＡＭ（Ｄｙｎａｍｉｃ  Ｒａｎｄｏｍ  Ａｃｃｅｓｓ  Ｍｅｍｏｒｙ）等の揮発性記憶装置で構成される主記憶と、フラッシュメモリやＨＤＤ（Ｈａｒｄ  Ｄｉｓｃ  Ｄｒｉｖｅ）等の不揮発性記憶装置で構成される補助記憶と、を含む。メモリ１１は、プロセッサ１０のワークエリア等として使用され、また、管理サーバ１の起動時に実行されるＢＩＯＳ（Ｂａｓｉｃ  Ｉｎｐｕｔ  ／  Ｏｕｔｐｕｔ  Ｓｙｓｔｅｍ）、及び各種設定情報等を格納する。
【００２５】
ストレージ１２は、アプリケーション・プログラム等の各種プログラムを格納する。各処理に用いられるデータを格納したデータベースがストレージ２２に構築されていてもよい。
【００２６】
送受信部１３は、管理サーバ１をネットワークに接続する。なお、送受信部１３は、Ｂｌｕｅｔｏｏｔｈ（登録商標）及びＢＬＥ（Ｂｌｕｅｔｏｏｔｈ  Ｌｏｗ  Ｅｎｅｒｇｙ）の近距離通信インタフェースを備えていてもよい。送受信部は、企業端末より依頼を受けて、生成されたミッション情報を情報取得機器に送信する。
【００２７】
入出力部１４は、キーボード・マウス類等の情報入力機器、及びディスプレイ等の出力機器である。
【００２８】
バス１５は、上記各要素に共通に接続され、例えば、アドレス信号、データ信号及び各種制御信号を伝達する。
【００２９】
＜情報取得機器２＞
【００３０】
情報取得機器２は、管理サーバ１と通信を介して情報処理を実行することにより、情報提供システムの一部を構成する。
【００３１】
図３は、情報取得機器２の機能ブロック図の例を示す図である。なお、図示される構成は一例であり、これら以外の機能が付加されていてもよい。
【００３２】
情報取得機器２は、例えば映像、画像、音、温度等、何らかのセンサデバイスで取得可能な外界の情報である。映像や画像の取得を目的として一例としては、カメラ付きのスマートフォンやタブレット端末等の携帯通信機器、ＡＲゴーグル等や単なるカメラ機器等が挙げられる。また、が挙げられるが、パーソナルコンピュータのような汎用コンピュータであってもよい。
【００３３】
図示されるように、情報取得機器２は、少なくとも、プロセッサ２０、メモリ２１、ストレージ２２、送受信部２３、入出力部２４等を備え、これらはバス２５を通じて相互に電気的に接続される。これらの機能は上述した管理サーバ１のものと同様であるため、ここでは詳細な説明は省略する。
【００３４】
本実施の形態による情報取得機器２は、所謂監視カメラのように、所定の場所に設置されたカメラである。
【００３５】
上述した入出力部２４は、少なくとも、入力部としてカメラ部２４２を備えている。
【００３６】
カメラ部は、通常の固定カメラとしてもよいし、回動することによりその視界方位を可変とするものであつてもよい。また、自己の位置を移動させることのできるものであってもよい。
【００３７】
図４に示されるように、本実施の形態による情報取得機器２は、機能ブロックとして、受信部及び送信部の他に、判定部、加工部及び取得部を有している。これらの機能については後述する。
＜データ＞
図４に示されるように、本実施の形態によるミッション情報は、少なくとも判定条件情報を有しており、このほかに、加工処理情報及び報酬情報を含んでいてもよい。なお、ミッション情報全体や、判定条件情報、加工処理情報又は報酬情報の少なくともいずれかは、管理サーバ１が生成してもよいし、情報取得機器側に一部又は全部を生成させることとしてもよい。
【００３８】
判定条件情報は、情報取得機器２の取得部によって取得された情報（位置情報、カメラによる画像・映像、時刻、温度、気圧、操作状況、その他情報取得機器の備えるセンサ群で直接又は間接的に取得された情報）が所定の判定条件を満たすか否かを判定（認識）するために必要な情報（機能パッケージ）が含まれている。取得する情報は複数でもその組み合わせであってもよい。
【００３９】
加工処理情報は、上述した判定条件を満たした場合に取得部から得られる情報を加工するための情報（機能パッケージ）である。
【００４０】
上述した判定条件情報及び加工処理情報は、例えば、カメラ部等で取得した画像（映像）から対象物を抽出するためのロジックが含まれている。当該ロジックは例えば、画像認識モデルや、（対象が音声の場合には）音声認識モデル等、対象物の抽出に必要な種々の技術を採用することができる。
【００４１】
例えば、道路のわきに設けられた固定カメラに対して「カメラで取得された情報から特定の情報を抽出する、というものでもよい。この場合、道路上を走る車の有無の他、車の車種、ナンバープレート、状態等の車の情報であってもよい。
【００４２】
例えば、「街中に落ちている空き缶の放置場所情報」という趣旨のミッション情報の場合、判定条件情報はカメラ部（取得部）に常時映像を取得させ当該映像の中に空き缶があるか否かを判定（認識）させるための情報であり、加工処理情報は、空き缶が落ちていたことを判定した際の情報取得機器の位置情報を取得させるための指示情報である。
【００４３】
また「街中に放置されている車両のナンバープレートの情報」という趣旨のミッション情報の場合、判定条件情報はカメラ部（取得部）に常時映像を取得させ当該映像の中に放置車両があるか否かを判定させるための情報であり、加工処理情報は、放置車両からナンバープレートを切り出すための情報や、ナンバープレートの文字を認識してテキスト情報として抽出するための情報である。
【００４４】
本実施の形態においては、判定条件情報のみを利用して、特定の状態にあるか否かを判定し、当該判定の結果を判定結果情報としてサーバに送信することとしてもよい。すなわち、加工情報を利用せずに、情報取得機器で取得した情報そのものやその一部を管理サーバへ送信することとしてもよい。
【００４５】
＜処理の流れ＞
続いて、図１、図４及び図５を参照して、本実施の形態による情報提供システムの処理の流れを説明する。図１に示されるように、本実施の形態による管理サーバ１は、複数の情報取得機器２、２’と接続される。なお、図１は概略図であり、管理サーバ１は、１台である必要はなく、また、各機能がクラウド経由で複数の端末に分散されていてもよい。
【００４６】
本実施の形態においては、図示しない情報被提供者（その情報を望む企業など）は、管理サーバ１に対して、依頼を行う。依頼は、例えば、「ある道路の交通量を調べたい」「あるエリアの通行量と通行者の属性」「街中に放置されている空き缶の情報を知りたい」、「違法駐車の情報を集めたい」、「コンビニエンスストアに入ったユーザの購入商品を知りたい」等、例えば、主にカメラ部を利用して得られるユーザの視覚情報に関するものである。
【００４７】
この際、企業側は、知りたい情報や集めたい情報に報酬を設定することとしてもよい。例えば、「空き缶を一つ見つけたら０．１円」、「放置車両を１台見つけたら０．７円」、「コンビニエンスストアにおいて購入した商品情報を提供してくれたら８円」などである。報酬の設定の仕方は、個数・台数毎に設定したり、まとまった数によって設定したり、探していた時間に応じて設定することとしてもよい。
【００４８】
管理サーバ１は、当該依頼を上述したミッション情報として情報取得機器に送信し、情報取得機器に所定の処理をさせる。ミッション情報としては、例えば、「空き缶／０．１円」や「放置車両／０．７円」、「コンビニ内での視野情報／８円」という項目を含む。
【００４９】
情報取得機器として、ユーザＰ１乃至ユーザＰｎがそれぞれ有するＨＭＤを考えた場合、各ＨＭＤに搭載されたカメラ部は、視界Ｖ１乃至視界Ｖｎの情報を取得することが可能である。
【００５０】
この場合、ミッション情報を受信したユーザは、当該ミッション情報により特定されるミッションに参加するか否かを選択することができる。ユーザがミッションに参加すると参加情報が管理サーバ１に送信され、参加してミッションの識別情報と当該ユーザ（情報取得機器）の識別情報とが対応付けられて管理される。
【００５１】
＜情報取得機器２側の処理＞
より詳しくは、図４に示されるように、情報取得機器２の受信部は、管理サーバ１から送信されたミッション情報を受信する。なお、この時、ミッション情報のうち、判定条件情報又は加工処理情報のみをミッション情報として受信することとしてもよい。
【００５２】
当該ミッション情報は、制御部に入力される。以下、上述した「ある道路の交通量と車の属性」及び「あるエリアの通行量と通行者の属性」に関するミッション情報を受信した場合に行われる夫々の処理を説明する。
【００５３】
これらのミッション情報を受信した場合、判定部は、判定条件情報に基づいてカメラ部の機能を有効にし常時映像を取得させるとともに、映像の中に車や通行者がいるか否かを画像認識技術によって判定する。この際、車の車種に関する情報や、通行人の属性に関する情報を判定結果情報として更に取得することとしてもよい。カメラは共通のカメラを利用してもよいし、異なるものを要してもよい。加工部は、判定結果に基づいてＧＰＳから位置情報を取得することとしてもよい。当該位置情報は加工情報として送信部に出力され、管理サーバ１へ送信される。
【００５４】
加工部は、更に、上述した機能の他に、取得した映像の中の車のナンバーのみをトリミングしたり、ナンバー以外の部分にモザイクをかけたり、画像内から空き缶の個数のみを抽出して数値データ（他の形式）に変換したり、空き缶の銘柄を抽出する処理を行うこととしてもよい。また、時刻情報等、情報取得機器により得られる他の情報と共に送信することとしてもよい。
【００５５】
なお、必要に応じて、取得部で取得したローデータを何らの加工もせずに送信部に出力することとしてもよい。
【００５６】
続いて、「街中に放置されている車両のナンバープレートの情報」を受信した場合、判定部は、判定条件情報に基づいてカメラ部の機能を有効にし常時映像を取得させるとともに、映像の中に停止している車両があるか否かを画像認識技術によって判定する。加工部は、映像の中からナンバープレートの部分のみを抽出する。抽出された情報は送信部に出力され、加工情報として管理サーバ１へ送信される。
【００５７】
加工部は、更に、上述した機能の他に、画像のうちナンバープレートの部分のみをトリミングしたり、ナンバープレート以外の部分にモザイクをかけたり、画像内からナンバープレートのテキストのみを抽出してテキストデータに変換したり、車両の車種の情報等も抽出することとしてもよい。更にこれらの情報に加えて、ＧＰＳから位置情報を取得することとしてもよい。
【００５８】
本実施の形態における画像認識モデルは、処理対象となる画像当該モデルに入力する。次に、入力された画像から、認識対象となる領域を抽出する。例えば、認識対象となるのが、対象情報に関する物（人）である場合、供給された画像から、それらと判断される領域が抽出される。１つの画像から複数の領域が抽出されてもよい。
【００５９】
その後、抽出された領域（その領域の画像）内から、特徴量を抽出する。抽出された特徴量は、認識処理によってその内容が特定される。
【００６０】
認識処理（画像認識モデル）としては、例えば、ＨＭＭ（Ｈｉｄｄｅｎ  Ｍａｒｋｏｖ  Ｍｏｄｅｌ）やＳＶＭ（Ｓｕｐｐｏｒｔ  Ｖｅｃｔｏｒ  Ｍａｃｈｉｎｅ）など、認識対象に適した方式が用いられる。そして、その用いられる方式に適した特徴量が抽出され、パラメータが保持される。
【００６１】
＜管理サーバ側１の処理＞
図５に示されるように、情報取得機器２から送信されたデータは、管理サーバ１の受信部で受信される。受信されたデータは、制御部に入力され報酬計算部において報酬が計算される。
【００６２】
報酬の計算は評価条件に従って行われる。評価条件は、様々な観点で行われる。例えば、情報取得機器から送信された情報がミッション情報によって提供対象となる情報ではない場合には０となる（すなわち、情報取得機器側における処理ミス等が発生していた場合や、不正操作がされていた場合等）。また、対象情報を満たす情報であっても、既に同一のものを送信している他のユーザがいた場合には、当該情報にデータとしての新しさはないことから低い報酬となる。
【００６３】
このように、評価条件は、対象情報としての適格性、データの有用性の観点から定義される。なお、評価の観点はこれ以外にあってもよい。
【００６４】
報酬計算部は、上記評価条件に基づいて当該ユーザに付与すべき報酬を補正し確定する。報酬の補正は、基準金額に応じた係数を乗じたり、定数を増減させたりする方法が挙げられるがこれに限られない。
【００６５】
確定した報酬は、情報取得機器２に通知される。
【００６６】
＜実施例＞
図６は、道路わきのカメラで取得可能な外界情報である。例えば、管理サーバ側に対しては、映像中の車の車種（ＲＶ／セダン等）や車名を判定結果情報として、実際の映像に重畳して（図示のごとく）送信することとしてもよい。
【００６７】
図７においては、路上に停止された車を放置車両として認識し、当該車のナンバープレートにカーソルが表示されている。この場合、当該ナンバープレートの情報が管理サーバ１に送信される。
【００６８】
同様に、図７においては、道路に捨てられた空き缶を認識し、当該空き缶にカーソルが表示されている。この場合、当該空き缶が道路上にあったという情報が管理サーバ１に送信される。
【００６９】
上述したローデータ、判定結果情報、加工情報の送信は、逐次行うこととしてもよいし、ある程度のデータがまとまってから行うこととしてもよい。
【００７０】
上述したように、管理サーバ１は、情報取得機器から送信された分析結果に応じて、設定された報酬をユーザ（情報取得機器）に付与する。
【００７１】
図７は、情報取得機器２から管理サーバ１に送信される情報の種類を説明するイメージ図である。上述したように、カメラ部で取得された情報の全てが管理サーバ１に送信されるわけではない。換言すれば、管理サーバ１には、外界情報のうち、ミッション情報に含まれる検知対象物に関する情報のみが抽出されて送信されることとなる。
【００７２】
情報取得機器から管理サーバ１に送信される情報は例えば、次の３パターンが考えられる。空き缶のような場合には、その検知対象物の「有無」のみの情報が管理サーバ１に送信される（１）。また、放置車両の場合にはナンバープレートの部分のみの画像データが管理サーバ１に送信される場合（２）、ナンバープレートから文字情報を更に分析し（即ち、（２）の情報を加工して）管理サーバ１に送信される場合等がある（３）。また他のセンサ群から得られた情報を付加して送信することとしてもよい（４）。
【００７３】
このように、本実施の形態においては、情報取得機器のカメラ部で取得された情報のうち、ミッション情報に必要な部分だけが抽出された管理サーバ１に送信されることとしているため、データの軽量化を行うことに加えて次のような効果を得ることができる。
【００７４】
即ち、本実施の形態によれば、所謂ローデータを管理サーバに送信する必要がないため、セキュリティや個人情報の漏洩・不要な開示を防ぐことができる。
【００７５】
また、本発明を利用することによって、ユーザはカメラ部を常時起動しながら、必要な情報のみを管理サーバに対して提供することができる。即ち検知対象物をカメラ部で撮るとき（放置車両を見つけた場合や、空き缶を見つけた場合等）のみカメラ部を起動するといった手間を省くことができる。
【００７６】
また、複数のミッション情報を受信することにより複数の報酬を得ることが可能となり、本システムに対して積極的な参加を促すことができる。この結果、ミッション情報に関する依頼をおこなった企業への情報提供の効率化を図ることができる。
【００７７】
なお、報酬情報は、情報取得機器から受け取る情報の量・内容に応じて変動させることとしてもよい。また、ユーザ側が管理サーバ１に対して送信される情報の量・内容をコントロールすることとしてもよい。
【００７８】
以上説明した本実施の形態において、情報取得機器２は、所定の送信条件に従って、判定結果情報や加工情報を管理サーバ１に送信してもよいし、所定時間毎に送信してもよいし、送信指示に従って送信することとしてもよい。
【００７９】
上述した実施の形態は、本発明の理解を容易にするための例示に過ぎず、本発明を限定して解釈するためのものではない。本発明は、その趣旨を逸脱することなく、変更、改良することができると共に、本発明にはその均等物が含まれることは言うまでもない。
【産業上の利用可能性】
【００８０】
図７に示されるように、本発明は、ＨＭＤのみならず、例えば、カメラ部を備えた無人飛行体（ドローン等）、自動運転機能を有する自動車等にも適用することが可能である。この場合、ミッション情報の検知対象物を分析する分析部を無人飛行体や自動車側に設けることとすればよい。
【００８１】
また、上述したミッション情報は、例示したものに限られず、例えば、特定の人物や物・現象等に関する情報の提供や、ユーザの自宅内に関する情報を対象としたものであってもよい。
【００８２】
なお、本発明による情報提供システムは、以下の構成をも備える。
【００８３】
［構成１］
管理サーバと、当該管理サーバとネットワークを介して接続された複数の情報取得機器とを含む情報提供システムであって、
前記情報取得機器は：
判定条件情報及び加工処理情報を含むミッション情報を受信し；
前記判定条件情報に基づいて第１の外界情報を取得し、当該第１の外界情報が判定条件を満たすか否かを判定し；
当該第１の外界情報が判定条件を満たす場合に第２の外界情報を取得し、前記加工処理情報に基づいて当該第２の外界情報を加工して加工情報を生成し；
前記加工情報を前記管理サーバに送信する、
情報提供システム。
【００８４】
［構成２］
構成１に記載の情報提供システムであって、
前記情報取得機器は、前記加工情報を、その蓄積状況に応じて前記管理サーバに送信する、
情報提供システム。
【００８５】
［構成３］
構成１又は構成２に記載の情報提供システムであって、
前記管理サーバは、前記ミッション情報を管理するミッション情報管理サーバと、前記加工情報を受信する加工情報管理サーバとを含んでおり、
前記情報取得機器は：
前記ミッション情報を前記ミッション情報管理サーバから受信し；
前記加工情報を前記加工情報管理サーバに送信する、
情報提供システム。
【００８６】
［構成４］
構成１乃至構成３のいずれかに記載の情報提供システムであって、
前記第１の外界情報の取得手段と、前記第２の外界情報の取得手段とは異なる、
情報提供システム。
【００８７】
［構成５］
構成１乃至構成４のいずれかに記載の情報提供システムであって、
前記第２の外界情報は、前記第１の外界情報と同一の取得手段によって得られる、
情報提供システム。
【００８８】
［構成６］
構成１乃至構成５のいずれかに記載の情報提供システムであって、
前記情報取得機器は、収音部を備えており、
前記第１の外界情報又は前記第２の外界情報の少なくともいずれかは当該収音部により取得される音声情報である、
情報提供システム。
【００８９】
［構成７］
構成１乃至構成６のいずれかに記載の情報提供システムであって、
前記管理サーバは、前記加工情報に応じて、前記ミッション情報に関連付けられた報酬をユーザに付与する、
情報提供システム。
【００９０】
［構成８］
構成１乃至構成７のいずれかに記載の情報提供システムであって、
前記管理サーバは、前記情報取得機器から取得した前記加工情報を評価条件に従って評価し、
前記報酬は、前記評価に基づいて算定される、
情報提供システム。
【００９１】
［構成９］
構成８に記載の情報提供システムであって、
前記加工処理情報の内容は、前記情報取得機器からの指定によって所定の範囲で変更可能であり、
前記管理サーバは、前記指定に応じて前記報酬を補正する、
情報提供システム。
【００９２】
［構成１０］
管理サーバと、当該管理サーバとネットワークを介して接続された複数の情報取得機器とを含む情報提供システムであって、
前記情報取得機器は：
判定条件情報を含むミッション情報を受信し；
前記判定条件情報に基づいて第１の外界情報を取得し、当該第１の外界情報が判定条件を満たすか否かを判定し；
当該第１の外界情報における前記判定条件を満たす対象物の有無に関する情報を生成し；
生成した前記情報を前記管理サーバに送信する、
情報提供システム。
【００９３】
［構成１１］
管理サーバと、当該管理サーバとネットワークを介して接続された複数の情報取得機器とを含む情報提供システムであって、
前記情報取得機器は：
判定条件情報を含むミッション情報を受信し；
前記判定条件情報に基づいて第１の外界情報を取得し、当該第１の外界情報が判定条件を満たすか否かを判定し；
当該第１の外界情報が判定条件を満たす場合に第２の外界情報を取得し；
前記第２の外界情報を前記管理サーバに送信する、
情報提供システム。
【００９４】
［構成１２］
管理サーバと、当該管理サーバとネットワークを介して接続された複数の情報取得機器とを含む情報提供システムであって、
前記情報取得機器は：
判定条件情報を含むミッション情報を受信し；
前記判定条件情報に基づいて第１の外界情報を取得し、当該第１の外界情報が判定条件を満たすか否かを判定し；
前記判定に基づく判定結果情報を生成し；
前記判定結果情報を前記管理サーバに送信する、
情報提供システム。
【符号の説明】
【００９５】
１        管理サーバ
２、２’        情報取得機器
【図１】
2020021107.tif 000003
【図２】
2020021107.tif 000004
【図３】
2020021107.tif 000005
【図４】
2020021107.tif 000006
【図５】
2020021107.tif 000007
【図６】
2020021107.tif 000008
【図７】
2020021107.tif 000009
【図８】
2020021107.tif 000010